(57)【要約】【課題】ユーザーが望む最適なコンテンツを推薦する電子機器を提供する。【解決手段】コンテンツを表示する表示装置を備えた電子機器であって、コンテンツを表示するために行われたユーザーの操作のうち所定のパターンに対応するものをパターンごとにカウントし、パターンのうちカウント数が予め定められた閾値を超えるものに基づいて表示コンテンツを特定し表示装置に表示する。【選択図】図１
2015126511.tif 000002
【特許請求の範囲】
【請求項１】
コンテンツを表示する表示装置を備えた電子機器であって、
前記コンテンツを表示するために行われたユーザーの操作のうち所定のパターンに対応するものを前記パターンごとにカウントし、
前記パターンのうちカウント数が予め定められた閾値を超えるものに基づいて表示コンテンツを特定し前記表示装置に表示することを特徴とする電子機器。
【請求項２】
コンテンツを記録する記録装置を備え、
前記パターンのうちカウント数が予め定められた閾値を超えるものに基づいて記録コンテンツを特定し前記記録装置に記録することを特徴とする請求項１記載の電子機器。
【請求項３】
前記コンテンツごとの嗜好情報を予め取得し、
前記パターンのうちカウント数が予め定められた閾値を超えるものが２以上あるとき、２以上ある前記パターンに基づいてそれぞれ特定された２以上の表示コンテンツのうち前記取得した嗜好情報が高い表示コンテンツを前記表示装置に優先的に表示させることを特徴とする請求項１又は２記載の電子機器。
【請求項４】
前記特定された２以上の表示コンテンツのうち前記取得した嗜好情報が低い表示コンテンツを録画コンテンツとして前記記録装置に記録することを特徴とする請求項１から３の何れか１項に記載の電子機器。
【請求項５】
前記嗜好情報を前記コンテンツごとの視聴回数に応じて取得することを特徴とする請求項３又は４記載の電子機器。
【請求項６】
前記嗜好情報を前記コンテンツごとの視聴度合に応じて取得することを特徴とする請求項３から５の何れか１項に記載の電子機器。
【請求項７】
前記嗜好情報は前記コンテンツごとに予め取得した前記コンテンツに対するユーザーの嗜好度合であることを特徴とする請求項３から６の何れか１項に記載の電子機器。
【請求項８】
前記嗜好情報は前記コンテンツごとに予め取得した前記コンテンツの属性に対するユーザーの嗜好度合であることを特徴とする請求項３から７の何れか１項に記載の電子機器。
【請求項９】
前記パターンのうちカウント数が予め定められた閾値未満のものに基づいて非表示コンテンツを特定し前記表示装置において非表示することを特徴とする請求項１から８の何れか１項に記載の電子機器。
【請求項１０】
表示装置にコンテンツを表示するために行われたユーザーの操作のうち所定のパターンに対応するものを前記パターンごとにカウントして記録装置に記録し、
前記記録されたパターンのうちカウント数が予め定められた閾値を超えるものに基づいて表示コンテンツを特定し前記表示装置に表示することを特徴とする情報処理方法。
【請求項１１】
表示装置にコンテンツを表示するために行われたユーザーの操作のうち所定のパターンに対応するものを前記パターンごとにカウントして記録装置に記録する処理と、
前記記録されたパターンのうちカウント数が予め定められた閾値を超えるものに基づいて表示コンテンツを特定し前記表示装置に表示する処理と、
をコンピュータに実行させることを特徴とするプログラム。
【発明の詳細な説明】
【技術分野】
【０００１】
本発明は、電子機器、情報処理方法、及びプログラムに関する。
【背景技術】
【０００２】
従来から、テレビジョンによる番組視聴において、電源ＯＮ時に視聴者の視聴履歴に応じて視聴者のお好み番組を表示させる技術が知られている。これに関し、特許文献１には、電源投入時に、表示器の同一画面上に、メモリに記憶されている電源遮断直前のチャンネルの映像と、視聴履歴記憶部に記憶された視聴履歴に応じた一又は複数のチャンネルの映像とを初期画面として表示する画像表示装置に関する発明が開示されている。
【先行技術文献】
【特許文献】
【０００３】
【特許文献１】特開２００３−９０１６号公報
【発明の概要】
【発明が解決しようとする課題】
【０００４】
特許文献１に開示された画像表示装置によれば、電源を入れると視聴者のお好み番組が表示されているので、視聴者は迅速かつ確実に所望の番組を選択することができる。
【０００５】
しかし、特許文献１に開示された技術は、視聴履歴（視聴回数）の累積から視聴者の好みを学習してお好み番組を薦めているため、薦められたお好み番組は結果として画一的である。そのため、薦められた番組がお好み番組であったとしても、薦められたときに視聴者がその番組の視聴を望んでいない場合や、薦められた番組でなく他のチャンネルで放送される別の番組を視聴したい場合がある。そのような場合に、特許文献１のように画一的にお好み番組を薦められても、視聴者が本当に視聴したい番組が薦められているとはいえない。
【０００６】
本発明は、このような実情に鑑みてなされたものであって、ユーザーが望む最適なコンテンツを推薦する電子機器を提供することを目的とする。
【課題を解決するための手段】
【０００７】
上記の課題を解決するため、本発明の電子機器は、コンテンツを表示する表示装置を備えた電子機器であって、コンテンツを表示するために行われたユーザーの操作のうち所定のパターンに対応するものをパターンごとにカウントし、パターンのうちカウント数が予め定められた閾値を超えるものに基づいて表示コンテンツを特定し表示装置に表示することを特徴とする。
【発明の効果】
【０００８】
本発明によれば、ユーザーが望む最適なコンテンツを推薦することができる。
【図面の簡単な説明】
【０００９】
【図１】本発明の実施形態における電子機器を構成する機能ブロック概略図である。
【図２】本発明の実施形態における行動パターンの例について説明する模式図である。
【図３】本発明の実施形態における行動パターンカウント数と閾値について説明する模式図である。
【図４】本発明の実施形態における閾値を超える行動パターンに基づいて表示コンテンツを特定する事例について説明する模式図である。
【図５】本発明の実施形態における嗜好情報の例について説明する模式図である。
【図６】本発明の実施形態における優先コンテンツを特定する例について説明する模式図である。
【図７】本発明の実施形態における処理手順について説明するフローチャートである。
【発明を実施するための形態】
【００１０】
本発明の実施形態の電子機器について図面を用いて以下説明する。なお、各図中、同一又は相当する部分には同一の符号を付しており、その重複説明は適宜に簡略化乃至省略する。まず、本実施形態の電子機器１について図１に示す機能ブロック概略図を参照して説明する。なお、本実施形態については、テレビジョン（以下、「ＴＶ」という。）を例に説明するが、本発明がＴＶに限定して適用されるものでないことは言うまでもなく、ＴＶ視聴機能を備えるパーソナルコンピュータや、ＴＶ視聴機能を備えるスマートフォン及びタブレット等の携帯情報端末、あるいはＴＶ機能を備える情報家電等に適用されるものである。
【００１１】
本実施形態の電子機器１は、行動パターン取得部１１と、嗜好情報取得部１２と、記録装置１３と、表示装置１４と、コンテンツ特定部１５と、表示制御部１６で構成される。
【００１２】
行動パターン取得部１１は、ＴＶ番組等のコンテンツを表示するために行われたユーザー操作のうち所定のパターンに対応する操作を取得し、これをそのパターンごとにカウントする。なお、本発明におけるコンテンツは、ＴＶ番組に限定されず、例えばインターネットにより取得したコンテンツデータ等も含まれる。所定のパターンについての詳細は後述する。
【００１３】
嗜好情報取得部１２は、ユーザーのコンテンツに対する嗜好度の指標となる嗜好情報を予めコンテンツごとに取得する。嗜好情報の詳細については後述する。
【００１４】
記録装置１３は、例えば、ＴＶ番組を録画するための録画装置や、コンテンツデータを記録するためのハードディスク等である。表示装置１４は、ＴＶ番組等のコンテンツを表示するディスプレイ等である。
【００１５】
コンテンツ特定部１５は、取得した所定のパターンに基づいてユーザーに推薦するコンテンツを特定する。コンテンツ特定部１５は、表示コンテンツ特定部１５１と、記録コンテンツ特定部１５２と、非表示コンテンツ特定部１５３と、優先コンテンツ特定部１５４を備える。
【００１６】
表示コンテンツ特定部１５１は、取得した所定のパターンのうち、そのカウント数が予め定められた閾値を超えるものに基づいて表示コンテンツを特定する。記録コンテンツ特定部１５２は、取得した所定のパターンのうち、そのカウント数が予め定められた閾値を超えるものに基づいて記録コンテンツを特定する。非表示コンテンツ特定部１５３は、取得した所定のパターンのうち、そのカウント数が予め定められた閾値未満のものに基づいて非表示コンテンツを特定する。優先コンテンツ特定部１５４は、取得した所定のパターンのうち、そのカウント数が予め定められた閾値を超えるものが２以上あるとき、２以上ある所定のパターンに基づいてそれぞれ特定された２以上の表示コンテンツのうち取得した嗜好情報が高い表示コンテンツを表示装置１４に優先的に表示させる優先コンテンツを特定する。また、記録コンテンツ特定部１５２は、表示コンテンツ特定部１５１により特定された２以上の表示コンテンツのうち、嗜好情報取得部１２により取得した嗜好情報が低い表示コンテンツを記録コンテンツとして特定する。閾値の詳細については後述する。非表示コンテンツとは、表示装置１４に表示しないコンテンツをいう。
【００１７】
表示制御部１６は、例えば電源投入時などの所定のタイミングで、コンテンツ特定部１５により特定されたコンテンツを表示装置１８に表示する制御を行う。また、表示制御部１６は、表示コンテンツ特定部１５１により特定された表示コンテンツを表示装置１８に表示する制御を行う。また、記録コンテンツ特定部１５２により特定された記録コンテンツは、記録装置１３に記録される。さらに、表示制御部１６は、優先コンテンツ特定部１５４により特定された優先コンテンツを表示装置１４に表示させる制御を行う。なお、取得した所定のパターンのうち、そのカウント数が予め定められた閾値に満たないものに基づいて特定される２以上のコンテンツがあるとき、表示制御部１６が、これらのコンテンツを表示装置１４に多画面表示する制御を行ってもよい。
【００１８】
次に、本実施形態における行動パターンの例について、図２を参照して説明する。本実施形態においては、行動パターン取得部１１によりコンテンツの視聴に関するユーザーの操作情報としての行動パターンを取得する。つまり、本実施形態における行動パターンとは、ＴＶ等の電子機器１においてＴＶ番組等のコンテンツを視聴する際にユーザーが行う一連の操作パターン（操作履歴）をいう。
【００１９】
例えば、「行動パターン１」として「朝起きてからＴＶの電源をＯＮにしたとき、ユーザーが同じ番組を見るために当該番組が放送されるチャンネル（以下、「ｃｈ」という。）に切り替える」行動がある。また、「行動パターン２」として「ドラマを視聴している途中で、スポーツ中継を放送しているｃｈに切り替える」行動がある。また、「行動パターン３」として、「生放送の番組は必ずリアルタイムで視聴している」行動がある。さらに、「行動パターン４」として、「特定の番組について５分も視聴せずに他のｃｈに切り替える」行動がある。つまり、「行動パターン１」においては、所定の番組の放送時刻に、ＴＶの電源をＯＮし、その番組が放送されるｃｈに切り替える操作が操作パターンであり、「行動パターン２」においては、あるドラマの視聴中に、スポーツ中継が放送されるｃｈに切り替える操作が操作パターンであり、「行動パターン３」においては、生放送番組の放送開始時に、ＴＶの電源をＯＮしたり、生放送番組が放送されているｃｈに合わせる操作が操作パターンであり、「行動パターン４」においては、特定の番組の視聴開始から５分経過後に、その特定の番組が放送されるｃｈから別のｃｈに切り替える操作が操作パターンである。
【００２０】
次に、本実施形態における行動パターンカウント数と閾値について図３を参照して説明する。本実施形態における閾値とは、例えば取得した行動パターンに応じて表示装置１４に表示する表示コンテンツを特定するための基準となる行動パターンのカウント数の基準値をいう。本実施形態においては、例えば、上述した閾値としての行動パターンカウント数を「１０」とする。そして、ここでは、例えば、「行動パターン１」、「行動パターン２」、及び「行動パターン３」が閾値以上のカウント数であり、「行動パターン４」が閾値に満たないカウント数であるものとする。
【００２１】
次に、閾値を超える行動パターンに基づいて表示コンテンツを特定する事例について図４を参照して説明する。上述したように「行動パターン１」のカウント数は閾値「１０」以上であるため、朝ＴＶの電源をＯＮすると、朝いつも見ている番組が表示されている。つまり、例えば、前日にこの番組が放送されているｃｈとは異なるｃｈに選局されたままでＴＶの電源をＯＦＦした場合であっても、朝ＴＶの電源を入れたときに、上記いつも見ている番組が放送されるｃｈに自動的に切り替わって表示されるということである。
【００２２】
また、「行動パターン２」のカウント数も閾値「１０」以上であるため、あるドラマを視聴中に、スポーツ中継が放送される時間になると、ドラマが放送されているｃｈから、そのスポーツ中継が放送されるｃｈに自動的に切り替わって表示される。
【００２３】
さらに、「行動パターン３」のカウント数も閾値「１０」以上であるため、生放送番組が放送される時間になると、それまで見ていた番組が放送されているｃｈから、その生放送番組が放送されるｃｈに自動的に切り替わって表示される。なお、それまでＴＶを見ておらず、電源がＯＦＦの場合は、自動的に電源がＯＮになって、上述したスポーツ中継や生放送番組が表示されることとしてもよい。
【００２４】
一方、「行動パターン４」は閾値以下となっている。よって仮に、ユーザーがある番組について番組開始直後の５分だけ視聴し、その後、他の番組を視聴するような行動を過去にとっていたとしても、この場合は、５分だけ視聴していた番組を表示コンテンツとして特定する処理は行われない。他方、「行動パターン４」が閾値以上であるときは、例えば、５分だけ視聴する番組ではなく、５分後に視聴を開始する番組を優先推薦番組と特定し、特定された番組を最初から表示する。
【００２５】
上述のように、本実施形態によれば、ユーザーのＴＶにおける操作履歴を蓄積して、所定の操作パターンとして記録し、この操作パターンをユーザーの行動パターンとして、この行動パターンが一定の閾値以上のものに基づいた番組を推薦するので、推薦されるコンテンツは画一的でなく、ユーザーが望む最適なコンテンツが常に推薦されるという効果がある。
【００２６】
次に、本実施形態における嗜好情報について図５を参照して説明する。本実施形態では、例えば、嗜好情報として、コンテンツの「視聴回数」に応じて取得される嗜好情報、コンテンツの「嗜好度合」に応じて取得される嗜好情報、コンテンツの内容についてコンテンツごとに予めユーザーから取得した嗜好度合、コンテンツの属性についてコンテンツごとに予めユーザーから取得した嗜好度合などをいう。
【００２７】
コンテンツの「視聴回数」に応じて取得される嗜好情報とは、あるコンテンツの視聴回数が多ければユーザーのそのコンテンツに対する嗜好は高く、逆に、あるコンテンツの視聴回数が少なければユーザーのそのコンテンツに対する嗜好は低いというように、視聴回数に比例して高くなる関係にある嗜好情報をいう。そして、本実施形態では、例えば、上述のように閾値が「１０」以上の行動パターンに基づいて特定される表示コンテンツが２以上あるとき、視聴回数が多い方のコンテンツを優先して表示装置１４に表示するようにするのである。
【００２８】
また、コンテンツの「嗜好度合」に応じて取得される嗜好情報とは、あるコンテンツのトータル時間（例えばトータル放送時間）に対して実際にユーザーが視聴した視聴時間の割合が高ければユーザーのそのコンテンツに対する嗜好は高く、逆に、あるコンテンツのトータル時間に対して実際にユーザーが視聴した視聴時間の割合が低ければユーザーのそのコンテンツに対する嗜好は低いというように、コンテンツのトータル時間に対する視聴時間の割合に比例して高くなる関係にある嗜好情報をいう。そして、本実施形態では、例えば、上述のように閾値が「１０」以上の行動パターンに基づいて特定される表示コンテンツが２以上あるとき、コンテンツのトータル時間に対する視聴時間の割合が高い方のコンテンツを優先して表示装置１４に表示するようにするのである。
【００２９】
さらに、コンテンツの内容についてコンテンツごとに予めユーザーから取得した嗜好度合とは、例えば、特定の番組に対するユーザーの嗜好について、予めユーザーから何らかの手法によって取得した嗜好情報をいう。何らかの手法とは、例えば、ＴＶが備える設定機能により、予め特定の番組に対するユーザーの好みを入力する手法などをいう。そして、本実施形態では、例えば、上述のように閾値が「１０」以上の行動パターンに基づいて特定される表示コンテンツが２以上あるとき、特定のコンテンツに対するユーザーの嗜好度合の高いコンテンツを優先して表示装置１４に表示するようにするのである。
【００３０】
さらに、コンテンツの属性についてコンテンツごとに予めユーザーから取得した嗜好度合とは、例えば、番組のジャンルとしての「ドラマ」、「スポーツ」、「音楽」、「ニュース」、「バラエティ」といったように、コンテンツのジャンル（属性）について、どのジャンルをユーザーが嗜好するかについて、予め何らかの手法によりユーザーから取得する嗜好情報をいう。そして、本実施形態では、例えば、上述のように閾値が「１０」以上の行動パターンに基づいて特定される表示コンテンツが２以上あるとき、ユーザーの嗜好度合の高いジャンルに属するコンテンツを優先して表示装置１４に表示するようにするのである。
【００３１】
上述したように、本実施形態によれば、例えば、特定の時間帯において、閾値以上の行動パターンが複数取得され、これらに基づいてコンテンツが複数特定されたとしても、コンテンツに対するユーザーの嗜好情報に基づいて優先コンテンツを特定するので、ユーザーの嗜好により合致したコンテンツが推薦されることになる。
【００３２】
次に、本実施形態における２つの番組を推薦する例について図６を参照して説明する。例えば、２つのコンテンツに関する行動パターンが閾値以上で、かつ同じ閾値であり、かつ双方のコンテンツに対する嗜好度も同じな場合もある。このような場合、優先コンテンツ特定部１５４は、２つのコンテンツを共に優先コンテンツと特定する。ここでは、この場合の２つの優先コンテンツの表示処理等について説明する。
【００３３】
まず、表示制御部１６は、２つのコンテンツのうち、一方のコンテンツを表示装置１８に表示させ、このとき、他方のコンテンツは記録装置１９に記録される。この場合、２つのコンテンツの何れを表示させるか記録させるかについては、予め設定によって決めておけばよい。例えば、ユーザーに予めアンケート等の手法により次のような最優先情報を収集しておく。『ドラマも好きだがどちらかといえばスポーツ中継を好む』というようなアンケート結果が最優先情報である。この場合、スポーツ中継について記録するテーブルデータ等に加点情報を与えておけば、該テーブルデータの加点情報に基づいて何れを表示あるいは記録させるか決定することができる。
【００３４】
図６（ａ）は、例えば、スポーツ中継をドラマより好んで視聴するという事前のアンケート結果に基づきスポーツ中継が最優先コンテンツとして決定された結果、表示装置１８にスポーツ中継が表示され、ドラマは記録装置１９に記録される例を模式的に示したものである。
【００３５】
他方、図６（ｂ）に示すように、例えば、事前アンケートによって最優先情報が得られなかったような場合、２つの優先推薦コンテンツを表示装置１８に２画面表示してもよい。
【００３６】
次に、本実施形態における処理手順について図７を参照して説明する。まず、行動パターン取得部１１はユーザーによるコンテンツ視聴に関する操作履歴としての操作パターンを取得し、嗜好情報取得部１２はユーザーのコンテンツに対する嗜好情報を取得し、これを記録装置１９等に蓄積する（ステップＳ１）。
【００３７】
次に、コンテンツ特定部１５は、取得した行動パターンが閾値以上かどうか判断する（ステップＳ２）。取得した行動パターンが閾値未満の場合（ステップＳ２、ＮＯ）、閾値未満の行動パターンに基づいて特定されたコンテンツは非表示とする（ステップＳ７）。例えば、ＴＶの電源がＯＮされたとき、非表示と特定されたコンテンツが放送されるｃｈから他のユーザーの嗜好が高いｃｈに切り替えられる。
【００３８】
コンテンツ特定部１５により取得した行動パターンが閾値以上であると判定された場合（ステップＳ２、ＹＥＳ）、次に閾値以上の行動パターンが複数あるかどうか判定する（ステップＳ３）。閾値以上の行動パターンが複数ないとき、つまり、１つであるときは（ステップＳ３、ＮＯ）、例えば、ＴＶの電源がＯＮされたとき、閾値以上の行動パターンに基づいて特定されたコンテンツを表示する（ステップＳ６）。
【００３９】
そして、コンテンツ特定部１５は、閾値以上の行動パターンが複数あると判定したとき（ステップＳ３、ＹＥＳ）、複数の閾値以上の行動パターンに基づいて特定されるコンテンツのうち、取得した嗜好情報が高い方のコンテンツを優先コンテンツとして特定する（ステップＳ４）。
【００４０】
その後、例えば、ＴＶの電源がＯＮされたとき、表示制御部１６の表示制御処理により、表示装置１４に優先コンテンツが表示され、非優先コンテンツは記録装置１３に記録される（ステップＳ５）。
【００４１】
なお、上述する各実施の形態は、本発明の好適な実施の形態であり、本発明の要旨を逸脱しない範囲内において種々変更実施が可能である。例えば、上記機能は、アセンブラ、Ｃ言語などのプログラミング言語などで記述されたコンピュータ実行可能なプログラムにより実現することができる。
【００４２】
また、上述した本実施形態においては、電源ＯＮ時に最適番組を表示する例について説明したが、本発明は、電源ＯＮ時に限らず、その他のタイミングにおいても最適番組を表示することができる。例えば、２０時５９分から２１時００分に切り替わるタイミングなど、ある番組から別の番組に切り替わるタイミング等、通常、ユーザーはそれまで視聴していた番組が放送されるｃｈとは別のｃｈで放送される番組を視聴することも多い。そのような場合に、その別のｃｈで放送される番組を含め、嗜好度が同じレベルの番組が同時に各ｃｈで放送されることもある。よって、このようなタイミングにおいて、ユーザーがとる行動パターンに基づいて特定された表示コンテンツを表示すれば、ユーザーは嗜好に合致したコンテンツを最適なタイミングで視聴することができる。
【符号の説明】
【００４３】
１    電子機器
１１    行動パターン取得部
１２    嗜好情報取得部
１３    記録装置
１４    表示装置
１５    コンテンツ特定部
１６    表示制御部
１５１    表示コンテンツ特定部
１５２    記録コンテンツ特定部
１５３    非表示コンテンツ特定部
１５４    優先コンテンツ特定部
【図１】
2015126511.tif 000003
【図２】
2015126511.tif 000004
【図３】
2015126511.tif 000005
【図４】
2015126511.tif 000006
【図５】
2015126511.tif 000007
【図６】
2015126511.tif 000008
【図７】
2015126511.tif 000009